(57)【要約】【課題】            バイアス層シートを巻回することによって発生するスパインによる竿体の曲げ剛性の異方性を穂先側において緩和することができる釣竿を提供する。【解決手段】          本発明の一実施形態に係る釣竿は、先細に形成された棒状の芯材と、前記芯材の先端側にＮ１プライ（Ｎ１は任意の自然数）だけ巻かれる第１のバイアス層シートと、その先端が前記第１のバイアス層シートの後端に重なるように、前記芯材にＮ２プライ（Ｎ２はＮ１より小さな任意の自然数）だけ巻かれる第２のバイアス層シートと、を備える。一実施形態において、前記第２のバイアス層シートは、前記第１のバイアス層シートの実質的にＮ１／Ｎ２倍の厚みを有する。【選択図】          図２
2014212780.tif 000002
【特許請求の範囲】
【請求項１】
先細に形成された棒状の芯材と、
前記芯材の先端側にＮ１プライ（Ｎ１は任意の自然数）だけ巻かれる第１のバイアス層シートと、
その先端が前記第１のバイアス層シートの後端に重なるように、前記芯材にＮ２プライ（Ｎ２はＮ１より小さな任意の自然数）だけ巻かれる第２のバイアス層シートと、
を備え、
前記第２のバイアス層シートは、前記第１のバイアス層シートの実質的にＮ１／Ｎ２倍の厚みを有する、
釣竿。
【請求項２】
前記第１のバイアス層シートは、ガラス繊維プリプレグから成る、請求項１に記載の釣竿。
【請求項３】
前記第２のバイアス層シートは、カーボン繊維プリプレグから成る、請求項１又は２に記載の釣竿。
【請求項４】
その先端が前記第２のバイアス層シートの後端に重なるように、前記芯材にＮ３プライ（Ｎ３はＮ２より小さな任意の自然数）だけ巻かれる第３のバイアス層シートをさらに備え、
前記第３のバイアス層シートは、前記第１のバイアス層シートの実質的にＮ１／Ｎ３倍の厚みを有する、
請求項１から３のいずれか１項に記載の釣竿。
【請求項５】
前記第１のバイアス層シートと前記第２のバイアス層シートとが重なる位置に、釣糸を案内する釣糸ガイドが取り付けられた、請求項１から４のいずれか１項に記載の釣竿。
【発明の詳細な説明】
【技術分野】
【０００１】
本発明は、釣竿に関し、特に、芯材及び当該芯材に巻回されたバイアス層シートを備える釣竿に関する。
【背景技術】
【０００２】
従来、芯材（ソリッド体と呼ばれることもある。）にプリプレグシートを巻回して構成された中実の釣竿が知られている。ソリッド体は、炭素繊維強化樹脂等の各種樹脂やＮｉ−Ｔｉ系合金等の各種合金から成り、穂先側に向かって先細となるように形成される。プリプレグシートには、強化繊維が釣竿の軸長方向に配向した所謂ストレート層シート、強化繊維が釣竿の周方向に配向した所謂周方向層シート、及び強化繊維が釣糸の軸方向に対して９０°よりも小さい所定の配向角度（通常は３０°〜６０°程度で４５°であることが多い。）で配向したバイアス層シートがある。ストレート層シートは、竿体の曲げ剛性を強化するために設けられ、周方向層シートは、竿体の捩り剛性を強化するために設けられる。バイアス層シートは、ストレート層シートと周方向層シートの中間の性質を有し、竿体の曲げ剛性及び捩り剛性をともに強化することができる。
【０００３】
従来の釣竿においては、ソリッド体の調子を崩すことなく、竿体の曲げ剛性及び捩り剛性を強化するため、ソリッド体の全長に亘ってバイアス層シートが巻回されることがある。ソリッド体は、先細に形成されているため、ソリッド体と同程度の長さを有する単一のバイアス層シートをソリッド体の全長に亘って巻回しようとすると、ソリッド体の長軸方向の位置によって、バイアス層シートの強化繊維の配向方向が変わってしまうという問題が指摘されている。そこで、特開２０１１−２００１９２号公報においては、バイアス層シートを２つに分割し、その一方（プリプレグＰ３２）を釣竿の先側に配置し、他方（プリプレグＰ３１）を釣竿の根元側に配置することが提案されている。
【先行技術文献】
【特許文献】
【０００４】
【特許文献１】特開２０１１−２００１９２号公報
【発明の概要】
【発明が解決しようとする課題】
【０００５】
上述した従来の釣竿を製作する際には、バイアス層シートのうちソリッド体に最初に巻き付けられる巻始部と最後に巻き付けられる巻終部とが重なり合うように、バイアス層シートをソリッド体に巻き付ける。当該重なり合った部分（「スパイン」と呼ばれる。）の厚みは、竿体の周方向の他の部分よりも厚くなる。例えば、バイアス層シートを３プライだけ巻回するときには、スパインだけが４プライ分の厚さを有し、スパイン以外の部分は３プライ分の厚さを有することになる。
【０００６】
このように、スパインの影響で竿体の周方向における厚みが一定でないため、曲げられる方向によって竿体の剛性が異なる。つまり、竿体の周方向において、竿体の剛性（特に曲げ剛性）に異方性が生じる。この結果、例えば、特開２０１３−７４８４７号公報において指摘されているように、リールを釣竿の周方向のどの位置に取り付けるかによって、キャスティング時や魚の取り込み時において竿体の曲がり方が異なることになる。また、スパインとリールの取付位置とが釣竿の周方向においてずれている場合には、キャスティング時や釣糸の巻き取り時に、釣竿が勝手にスパインと竿体の軸心とを結ぶ方向に曲がってしまうという問題が生じる。
【０００７】
従来の釣竿において、単一のバイアス層シートを竿体の全長に亘って巻回する場合は、バイアス層シートの厚さが竿体の全長に亘って略一定の厚さとなる。また、特許文献１に記載のように、バイアス層シートを分割する場合でも、穂先側のバイアス層シート（プリプレグＰ３１）と手元側のバイアス層シート（プリプレグＰ３２）とは、同じ厚さとなるように巻回されている。よって、従来の釣竿においては、スパインの厚さも穂先側と手元側とでほぼ同じ厚さとなっている。竿体は先細に形成されるので、スパインの厚さが穂先側と手元側とで同じ場合には、ソリッド体の径に対するスパインの厚さが穂先側ほど大きくなるため、スパインによる曲げ剛性の異方性の影響は、穂先側においてより顕著に表れることになる。
【課題を解決するための手段】
【０００８】
そこで、本発明は、バイアス層シートを巻回することによって発生するスパインによる竿体の曲げ剛性の異方性を穂先側において緩和することができる釣竿を提供することを目的とする。本発明の他の目的は、明細書全体を通じて明らかにされる。
【０００９】
本発明の一実施形態に係る釣竿は、先細に形成された棒状の芯材と、前記芯材の先端側にＮ１プライ（Ｎ１は任意の自然数）だけ巻かれる第１のバイアス層シートと、その先端が前記第１のバイアス層シートの後端に重なるように、前記芯材にＮ２プライ（Ｎ２はＮ１より小さな任意の自然数）だけ巻かれる第２のバイアス層シートと、を備える。一実施形態において、前記第２のバイアス層シートは、前記第１のバイアス層シートの実質的にＮ１／Ｎ２倍の厚みを有する。
【発明の効果】
【００１０】
本発明の実施形態によって、バイアス層シートを巻回することによって発生するスパインによる竿体の曲げ剛性の異方性を穂先側において緩和することができる釣竿が提供される。
【図面の簡単な説明】
【００１１】
【図１】本発明の一実施形態に係る釣竿の構成を模式的に示す側面図。
【図２】本発明の一実施形態に係る釣竿を構成するソリッド体及びプリプレグシートを示す模式図。
【図３】図１に示した釣竿におけるバイアス層シート同士が重なった部分の拡大断面図。
【図４】本発明の他の実施形態に係る釣竿を構成するソリッド体及びプリプレグシートを示す模式図。
【発明を実施するための形態】
【００１２】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００１３】
図１は、本発明の一実施形態に係る釣竿の構成を示す側面図である。図１に示すように、本発明の一実施形態に係る釣竿Ｒは、竿体１と、リールシート３を介して竿体１に着脱自在に装着されるリール２と、竿体１の基端側に取り付けられたグリップ４と、を備える。竿体１には、少なくとも１つの釣糸ガイドが取り付けられる。図１の例では、竿体１には、釣糸ガイド５−１乃至釣糸ガイド５−４の４個の釣糸ガイドが取り付けられている。リール３から繰り出された不図示の釣糸は、釣糸ガイド５−１乃至釣糸ガイド５−４により竿体１の穂先まで案内される。
【００１４】
図２は、本発明の一実施形態に係る釣竿の芯材となるソリッド体及び当該ソリッド体に巻回されるプリプレグシートを示す模式図である。図２を参照して、本発明の一実施形態に係る釣竿の構成及び製造工程を説明する。
【００１５】
竿体Ｒを製造する際には、まず、ソリッド体１０を準備する。一実施形態において、ソリッド体１０は、図示のように、穂先側ほど小径となるようにテーパが施された棒状の部材である。一実施形態において、ソリッド体１０は、ガラス繊維や炭素繊維等の強化繊維に合成樹脂を含浸させた繊維強化樹脂やＮｉ−Ｔｉ系合金等の各種合金を成形して作製される。本発明におけるソリッド体１０は、本明細書で明示されるものに限られず、公知の様々な素材や製法を用いて作製され得る。
【００１６】
続いて、バイアス層シート１１及びバイアス層シート１２を準備する。一実施形態において、バイアス層シート１１は、ガラス繊維や炭素繊維等の強化繊維に合成樹脂を含浸させた繊維強化樹脂製のクロス（バイアス層シート１１用クロス）を図２に示すような略台形の形状に裁断することで得られる。バイアス層シート１２も、バイアス層シート１１と同様に、ガラス繊維や炭素繊維等の強化繊維に合成樹脂を含浸させた繊維強化樹脂製のクロス（バイアス層シート１２用クロス）を図２に示すような略台形の形状に裁断することで得られる。本明細書においては、強化繊維としてガラス繊維が用いられている繊維強化樹脂製のクロス又はシートをガラス繊維プリプレグといい、強化繊維として炭素繊維が用いられている繊維強化樹脂製のクロス又はシートをカーボン繊維プリプレグという。
【００１７】
バイアス層シート１１及びバイアス層シート１２における強化繊維は、ソリッド体１０の長手軸方向に対してα°の配向角度で配向している。一実施形態において、この配向角度α°は約４５°であるが、これ以外の様々な角度を取り得る。例えば、バイアス層シート１１及びバイアス層シート１２における強化繊維の配向角度は、２０°≦α°≦７０°の範囲にある任意の角度をとることができ、他の実施例においては、３０°≦α°≦６０°の範囲にある任意の角度をとることができ、さらに他の実施例においては４０°≦α°≦５０°の範囲にある任意の角度をとることができる。
【００１８】
バイアス層シート１１及びバイアス層シート１２のソリッド体１０への巻回は以下のように行われる。まず、ソリッド体１０には、バイアス層シート１１が巻回される。具体的には、図２に示すように、バイアス層シート１１は、その先端側辺１１Ａがソリッド体１０の先端に合致するとともにその巻始辺１１Ｂがソリッド体１０の長軸方向と平行になるように位置合わせされた状態で、ソリッド体１０にＮ１プライ（Ｎ１は任意の自然数）だけ巻回される。バイアス層シート１１は、ソリッド体１０の基端側ほど幅広に形成されているので、バイアス層シート１１はソリッド体１０に対して略均一にＮ１プライだけ巻くことができる。バイアス層シート１１は、その巻終辺１１Ｃが巻始辺１１Ｂと重なるように巻かれ、この巻終辺１１Ｃと巻始辺１１Ｂとが重なり合う部分がスパインとなる。スパインにおいては、バイアス層シート１１が（Ｎ１＋１）プライ巻回されているので、バイアス層シート１１の厚さは、スパインにおいて周方向の他の部分よりも厚くなっている。
【００１９】
次に、バイアス層シート１１が巻回されたソリッド体１０にバイアス層シート１２を巻回する。具体的には、図２に示すように、バイアス層シート１２は、ソリッド体１０に巻回されたバイアス層シート１１の後端側辺１１Ｄにバイアス層シート１２の先端側辺１２Ａが若干重なるように配置されるとともにその巻始辺１２Ｂがソリッド体１０の長軸方向と平行になるように位置合わせされた状態で、ソリッド体１０にＮ２プライ（Ｎ２はＮ１より小さな任意の自然数）だけ巻回される。このバイアス層シート１１の後端側辺１１Ｄとバイアス層シート１２の先端側辺１２Ａとが重なりあった部分には、図３に示すように、釣糸ガイド（図３の例では釣糸ガイド６−２）が取り付けられる。バイアス層シート１２は、バイアス層シート１１と同様に、その巻終辺１２Ｃが巻始辺１２Ｂと重なるように巻かれるので、この巻終辺１２Ｃと巻始辺１２Ｂとが重なり合う部分がスパインとなる。
【００２０】
図３に例示されているように、バイアス層シート１１の１プライ分の厚さＴ１（バイアス層シート１１が裁断されるバイアス層シート１１用クロスの厚さに相当する。）は、バイアス層シート１２の１プライ分の厚さＴ２（バイアス層シート１２が裁断されるバイアス層シート１２用クロスの厚さに相当する。）よりも薄い。つまり、Ｔ１とＴ２との間には、Ｔ１＜Ｔ２の関係が成り立つ。Ｔ１、Ｔ２、Ｎ１及びＮ２の値は、ソリッド体１０に巻かれたバイアス層シート１１の全体の厚さ（Ｎ１×Ｔ１）と、ソリッド体１０に巻かれたバイアス層シート１２の全体の厚さ（Ｎ２×Ｔ２）とが実質的に等しくなるように定められる。つまり、バイアス層シート１２は、バイアス層シート１１の実質的にＮ１／Ｎ２倍の厚みを有する。図３に示した例では、バイアス層シート１１は２プライ分、バイアス層シート１２は１プライ分、それぞれソリッド体１０に巻かれており（つまり、Ｎ１＝２、Ｎ２＝１）、Ｔ１をＴ２の概ね２分の１とすることで、（Ｎ１×Ｔ１）と（Ｎ２×Ｔ２）の値が等しくなるようにしている。
【００２１】
このように、（Ｎ１×Ｔ１）と（Ｎ２×Ｔ２）とを実質的に等しい値とすることにより、ソリッド体１０に巻回されたバイアス層シート１１の全体の厚さ（Ｎ１プライ分の厚さ）とソリッド体１０に巻回されたバイアス層シート１２の全体の厚さ（Ｎ２プライ分の厚さ）とが等しくなるので、バイアス層シート１１及びバイアス層シート１２を巻回した後の竿体１の長軸方向における曲げ剛性の分布は、ソリッド体１０の曲げ剛性の分布と概ね等しくなる。これにより、ソリッド体１０の材質やテーパを調整して得られる釣竿Ｒの調子が、バイアス層シート１１及びバイアス層シート１２によって崩れることを防止できる。すなわち、ソリッド体１０の設計時に定められた調子が、バイアス層シート１１及びバイアス層シート１２の影響で意図したものからずれてしまうことを防止できる。
【００２２】
以上から明らかなように、バイアス層シート１１の全体の厚さ（Ｎ１×Ｔ１）及びバイアス層シート１２の全体の厚さ（Ｎ２×Ｔ２）は厳密に等しい必要はない。つまり、本明細書においては、バイアス層シート１１の全体の厚さ（Ｎ１×Ｔ１）とバイアス層シート１２の全体の厚さ（Ｎ２×Ｔ２）が厳密に一致していなくとも、両者の厚さの差によって生じるソリッド体１０の調子の変化が釣り人に感知できない程度である限り、そのような厳密に一致しない（Ｎ１×Ｔ１）と（Ｎ２×Ｔ２）との関係も「（Ｎ１×Ｔ１）と（Ｎ２×Ｔ２）とが実質的に等しい」という。具体的には、（Ｎ１×Ｔ１）と（Ｎ２×Ｔ２）との差が（Ｎ１×Ｔ１）の１５％以内であれば、（Ｎ１×Ｔ１）と（Ｎ２×Ｔ２）とは実質的に等しいと評価し得る。
【００２３】
本発明の実施形態によれば、穂先側に配置されるバイアス層シート１１の１プライの厚さが手元側に配置されるバイアスシート層１２の１プライの厚さよりも薄いので、バイアス層シート１１に形成されるスパインを、バイアス層シート１２に形成されるスパインよりも薄くすることができる。これにより、ソリッド体１０の穂先側と手元側にバイアス層シートを巻回して、ソリッド体１０を全長に亘ってバイアス層シートで覆う場合に、スパインによって生じる曲げ剛性の異方性を、穂先側において緩和することができる。
【００２４】
一実施形態においては、バイアス層シート１１を、ガラス繊維プリプレグとし、バイアス層シート１２を、カーボン繊維プリプレグとすることができる。ガラス繊維プリプレグはカーボン繊維プリプレグに比べて剛性が低いため、穂先側に配置されるバイアス層シート１１をガラス繊維プリプレグとすることにより、竿体１の穂先をより柔軟にすることができる。
【００２５】
続いて、図４を参照して、本発明の他の実施形態に係る釣竿を説明する。図４は、本発明の他の実施形態に係る釣竿の芯材となるソリッド体及び当該ソリッド体に巻回されるプリプレグシートを示す模式図である。図４に示す実施形態においては、３つのバイアス層シート１４、１５、１６を備える点で、２つのバイアス層シートを備える図２の実施形態と異なる。一実施形態において、バイアス層シート１４の１プライ分の厚さは、バイアス層シート１５の１プライ分の厚さよりも薄く、バイアス層シート１５の１プライ分の厚さは、バイアス層シート１６の１プライ分の厚さよりも薄い。
【００２６】
図４の実施形態において、バイアス層シート１４、１５、１６の１プライ分の厚さはそれぞれＴ１’、Ｔ２’、Ｔ３’であり、バイアス層シート１４、１５、１６がソリッド体１０に対してそれぞれＮ１’プライ、Ｎ２’プライ、Ｎ３’プライだけ巻回される（Ｎ１’、Ｎ２’、及びＮ３’は任意の自然数である。）。このとき、Ｔ１’、Ｔ２’、Ｔ３’、Ｎ１’、Ｎ２’、及びＮ３’の値は、（Ｎ１’×Ｔ１’）、（Ｎ２’×Ｔ２’）、及び（Ｎ３’×Ｔ３’）の値がいずれも実質的に等しくなるように定められる。例えば、Ｔ３’がＴ１’の３倍でありＴ１’の２倍である場合には、バイアス層シート１４、１５、１６の巻回数をそれぞれ３プライ、２プライ、１プライとすることができる（６プライ、４プライ、２プライでもよい）。「実質的に等しい」の意味は、図２の実施形態の説明において説明した通りである。
【００２７】
また、図４の実施形態において、バイアス層シート１６の内側には、ストレート層シート１７が巻かれている。つまり、バイアス層シート１６は、ストレート層シート１７を介してソリッド体１０に巻かれている。ストレート層シート１７は、ソリッド体１０の長軸方向に対して略平行に配向した強化繊維を含有する繊維強化樹脂製である。このように、ストレート層シート１７を手元側に配置することにより、竿体Ｒの手元側における曲げ剛性をより強化することができる。
【００２８】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【００２９】
例えば、プリプレグシートの素材、形状、及び配置は、本明細書及び添付図面に例示したものに限られず、様々な素材、形状のプリプレグシートをソリッド体１０の様々な位置に配置することができる。また、本明細書で説明したプリプレグシートの一部を省略してもよく、本明細書で具体的に説明していないプリプレグシートを追加することもできる。例えば、図２に示した実施例において、ストレート層シート１７と同様のプリプレグシートをバイアス層シート１２の内側又は外側に配置することができる。
【００３０】
また、プリプレグシートの種類は、本明細書に明記されたものに限られない。例えば、竿体Ｒの長軸方向に対して強化繊維が略直交する周方向層シートを用いることもできる。
【符号の説明】
【００３１】
Ｒ  釣竿
１  竿体
５−１〜５−４  釣糸ガイド
１０  ソリッド体
１１、１２、１４，１５，１６  バイアス層シート
１７  ストレート層シート
【図１】
2014212780.tif 000003
【図２】
2014212780.tif 000004
【図３】
2014212780.tif 000005
【図４】
2014212780.tif 000006